(57)【要約】【課題】接着剤の付着残留を防止ないし抑制することができる表張りタイルユニットと、その施工方法を提供する。【解決手段】タイルユニット３は、複数枚のタイル１をネット４で連結したものである。ネット４は、糸条４ａ，４ｂ，４ｃが３軸方向に延設され、該糸条４ａ〜４ｃ同士が交点でバインダーにより結着されている。具体的には、ネット４は、方形のネット４の辺と平行方向に延在する縦糸条４ａと、該縦糸条４ａと斜交する斜糸条４ｂ，４ｃからなる。縦糸条４ａに対して斜糸条４ｂ，４ｃがＸ字状に交叉している。各糸条４ａ〜４ｃは編組みされている。このネット４は、整列配置された複数枚のタイル１の前面に接着剤によって接着されている。ネット４をタイル１に接着する接着剤としては、水で濡らさなくてもネット４をタイル１から剥すことができる特性を有したものが好適であるが、水溶性接着剤を用い、水で濡らして剥がし取るようにしてもよい。【選択図】図１
2007056582.tif 000002
【特許請求の範囲】
【請求項１】
整列配置された複数枚のタイルが、各タイルの前面に接着されたネットによって連結されてなるタイルニットであって、該ネットは糸条を編組みしたネットであることを特徴とするタイルユニット。
【請求項２】
請求項１において、該ネットが２軸、３軸又は４軸に編組みしたネットであることを特徴とするタイルユニット。
【請求項３】
請求項１又は２において、前記ネットが前記タイルに対し、乾燥状態で剥すことができる接着剤によって接着されていることを特徴とするタイルユニット。
【請求項４】
請求項３において、前記接着剤が変成酢酸ビニル系接着剤であることを特徴とするタイルユニット。
【請求項５】
整列配置された複数枚のタイルが連結されてなるタイルユニットを下地面に張り付ける工程を有するタイルユニットの施工方法において、
該タイルユニットが請求項１ないし４のいずれか１項に記載のタイルユニットであり、該タイルユニットを下地面に張り付けた後、ネットを剥すことを特徴とするタイルユニットの施工方法。
【請求項６】
請求項５において、空目地とすることを特徴とするタイルユニットの施工方法。
【発明の詳細な説明】
【技術分野】
【０００１】
本発明は整列配置された複数枚のタイルが、各タイルに接着されたネットによって連結されてなるタイルニットと、その施工方法に関するものである。詳しくは、本発明は、タイルの前面にタイル連結用ネットが接着されているタイルユニットと、その施工方法に関するものである。
【背景技術】
【０００２】
複数枚のタイルを整列配置し、各タイルを連結材によって連結して一体化させてなるタイルユニットは周知である。このタイルユニットとして、連結材をタイルの裏面に接着した裏張りのものと、タイルの前面に接着した表張りのものとがある。
【０００３】
裏張りのタイルユニットの連結材としてはネットが広く用いられている。
【０００４】
この裏張りのタイルユニットを施工した場合において目地詰めしない空目地工法にあっては、目地間隙からネットが透けて見え、見栄えが悪くなることになる。そのため、裏張りのタイルユニットを空目地工法により施工する場合、目地幅を小さくしてネットが目立たないようにする必要がある。
【０００５】
表張りタイルユニットの連結材としては、紙が広く用いられている（例えば実開昭６０−１８４５３５号、実開昭５１−１２５７１１号）。この紙は、タイルユニットの張り付け施工後に水を浸して剥し取られる。この表張りタイルユニットによれば、空目地としても、見栄えがよいものとなる。
【特許文献１】実開昭６０−１８４５３５号
【特許文献２】実開昭５１−１２５７１１号
【発明の開示】
【発明が解決しようとする課題】
【０００６】
連結材として紙を用いた表張りタイルユニットの場合、紙を剥し取った跡に接着剤がタイル前面の広い範囲に付着残留し易い。なお、塗り目地工法によれば、接着剤がタイル前面に多量に残存していても目地材料の拭き取り時に接着剤も一緒に拭き取られるが、空目地の場合は、接着剤を除去するための手間が別途必要となる。
【０００７】
本発明は、接着剤の付着残留を防止ないし抑制することができる表張りタイルユニットと、その施工方法を提供することを目的とする。
【課題を解決するための手段】
【０００８】
請求項１のタイルユニットは、整列配置された複数枚のタイルが、各タイルの前面に接着されたネットによって連結されてなるタイルニットであって、該ネットは糸条を編組みしたネットであることを特徴とするものである。
【０００９】
請求項２のタイルユニットは、請求項１において、該ネットが２軸、３軸又は４軸に編組みしたネットであることを特徴とするものである。
【００１０】
請求項３のタイルユニットは、請求項１又は２において、前記ネットが前記タイルに対し、乾燥状態で剥すことができる接着剤によって接着されていることを特徴とするものである。
【００１１】
請求項４のタイルユニットは、請求項３において、前記接着剤が変成酢酸ビニル系接着剤であることを特徴とするものである。
【００１２】
請求項５のタイルユニットの施工方法は、整列配置された複数枚のタイルが連結されてなるタイルユニットを下地面に張り付ける工程を有するタイルユニットの施工方法において、該タイルユニットが請求項１ないし４のいずれか１項に記載のタイルユニットであり、該タイルユニットを下地面に張り付けた後、ネットを剥すことを特徴とするものである。
【００１３】
請求項６のタイルユニットの施工方法は、請求項５において、空目地とすることを特徴とするものである。
【発明の効果】
【００１４】
本発明のタイルユニットにあっては、タイルの前面にネットが接着されている。このネットは、糸条を編組みしたものであるため、接着剤の付着量が少なく、接着剤を剥し取った後の接着剤の付着残留がなくなるか、又は少なくなる。特に、ネットに接着剤を付着させてから該ネットを整列配置されたタイルの前面に張り付けるに際し、空気を吹き付けてネットの目に張った幕状の接着剤を吹き飛ばすことにより、余分な接着剤を除去することが可能である。これにより、接着剤のタイル前面における付着残留を防止したり、著しく少なくすることが可能となる。
【００１５】
このネットとしては、２軸、３軸又は４軸のものが好適であり、特に３軸又は４軸が好ましい。このネットの糸条は、０．０１〜１ｍｍの径を有するものが好適である。ネットの糸条の間隔は５〜２０ｍｍ程度が好適である。
【００１６】
接着剤として乾燥状態でもネットをタイルから剥すことができるものを用いた場合には、空目地仕上げとすることにより、タイルユニットの施工に際し水を用いることが不要となる。
【発明を実施するための最良の形態】
【００１７】
以下に図面を参照して本発明の実施の形態に係るタイルユニット及びその施工方法を説明する。
【００１８】
図１は本発明の実施の形態に係るタイルユニットの斜視図である。
【００１９】
このタイルユニット３は、複数枚のタイル１をネット４で連結したものである。ネット４は、レーヨンステープル（スフ）などよりなる糸条４ａ，４ｂ，４ｃが３軸方向に延設され、該糸条４ａ〜４ｃ同士が交点でバインダーにより結着されている。具体的には、ネット４は、方形のネット４の辺と平行方向に延在する縦糸条４ａと、該縦糸条４ａと斜交する斜糸条４ｂ，４ｃからなる。縦糸条４ａに対して斜糸条４ｂ，４ｃがＸ字状に交叉している。各糸条４ａ〜４ｃは編組みされている。
【００２０】
このネット４は、整列配置された複数枚のタイル１の前面に接着剤によって接着されている。
【００２１】
なお、糸条４ａ〜４ｃの径は、０．０１〜１ｍｍ特に０．１〜０．５ｍｍが好適である。糸条４ａ〜４ｃの径が小さ過ぎるとネットの強度が不足し、またネット４とタイル１との接着強度が不足する。一方、糸条の径が大きすぎると、接着剤のネットへの付着量が多くなりすぎ、その結果として、接着剤のタイル前面への付着残留量も増加する。
【００２２】
各糸条４ａ，４ａ同士、４ｂ，４ｂ同士及び４ｃ，４ｃ同士は互いに平行である。この平行な糸条同士の間隔は５〜２０ｍｍ特に１０〜１５ｍｍが好適である。この間隔が小さすぎると、液状の接着剤が目開きに幕を張り易くなる。逆に、間隔が大きすぎると、ネット４によるタイル１の拘束が緩くなり、タイルが動き易くなる。
【００２３】
ネット４をタイル１に接着する接着剤としては、水で濡らさなくてもネット４をタイル１から剥すことができる特性を有したものが好適であり、特に変成酢酸ビニル系接着剤が好適である。ただし、本発明では水に濡らしてネット４を剥すようにしてもよく、その場合には澱粉糊、アクリルエマルジョン系接着剤などの水溶性接着剤を用いてもよい。
【００２４】
ネット４をタイル１に接着剤で接着する場合、接着剤をネット４に付着させてから、整列配置されたタイル１の前面にネット４を貼着するのが好ましい。この場合、ネット４に接着剤を付着させた後、ネット４に空気を吹き付け、ネット４の目に幕状に張った接着剤など余分な接着剤を吹き飛ばすのが好ましい。
【００２５】
このタイルユニット３は、タイル張り用接着剤（例えば変成シリコン系弾性接着剤など）によって壁下地面に張り付けられる。タイル張り用接着剤が硬化した後、ネット４を剥がし取る。変成酢酸ビニル系接着剤であれば、水を用いることなくネット４を剥がし取ることができる。
【００２６】
水溶性接着剤の場合であれば、水でネット４を濡らしてから、ネット４を剥がし取る。このようにネット４を水で濡らしてから剥がし取る場合、ネット４の目の間からネット４とタイル１との間に水が入り込み易いので、水で濡らした後、速やかにネット４を剥がし取ることができる。除ききれなかった余分な接着剤は接着剤の表面張力により交点に集まった状態で接着される。水でネットを剥がす際、水も接着剤と同様、交点に集まるため、剥離しやすい。
【００２７】
ネット４を剥がし取った後は、目地詰めせずに空目地とするのが好適である。本発明では、ネットが除去されるから、目地幅を広くしても目地間にネットが見えることはありえず、見栄えが良好である。
【００２８】
この実施の形態において、連結材として用いられているネット４は、紙を全面に貼着してなる連結材に比べて少量の接着剤によってタイル１に張り付けられるから、ネット４を剥がし取った後に接着剤は全く又は殆ど残留することがなく、接着剤除去のための処理（例えば水拭き）などを全く行わないか、極く簡単に行うだけでタイル１の前面は奇麗な見栄えの良いものとなる。
【００２９】
前述の通り、ネット張り付け用接着剤として乾燥状態で剥がし取ることができる変成酢酸ビニル系接着剤などを用い、空目地とした場合には、目地詰めも行う必要がないためタイル施工に際し水を用いることが全く不要となる。
【００３０】
上記実施の形態ではタイル１は方形であるが、図２，３のように長方形のタイル１１又は１２を横張り又は縦張りするようにしたタイルユニット１０Ａ，１０Ｂであってもよい。
【００３１】
上記実施の形態ではネット４は３軸ネットであるが、縦横にのみ延在する２軸ネットであってもよい。また、図１〜３のネットに対しさらに縦糸条と直交する横糸条を加えた４軸ネットであってもよい。ただし、タイルユニットが斜め方向に伸びることを防止する効果が高い３軸又は４軸ネットが２軸ネットよりも好適である。
【図面の簡単な説明】
【００３２】
【図１】実施の形態に係るタイルユニットの前面の斜視図である。
【図２】別の実施の形態に係るタイルユニットの正面図である。
【図３】さらに別の実施の形態に係るタイルユニットの正面図である。
【符号の説明】
【００３３】
１，１１，１２  タイル
３，１０Ａ，１０Ｂ  タイルユニット
４  ネット
４ａ  縦糸条
４ｂ，４ｃ  斜糸条
【図１】
2007056582.tif 000003
【図２】
2007056582.tif 000004
【図３】
2007056582.tif 000005